(57)【特許請求の範囲】
【請求項１】
多数の踏段が連なって階段状に移動するとともに乗降口付近では前記踏段の踏板が平面状になるエスカレーターにおいて、
前記踏段の踏板の走行方向前部に設けられた凹み部と、
前記凹み部に回転可能に取り付けられる可動板と、
前記踏段の走行方向後部に設けられ、エスカレーターの中間傾斜部にて前記可動板を持ち上げる支持板とを備え、
前記可動板が持ち上げ上限まで持ち上げられた際に、前記可動板の端部に設けられた平面が前記踏板の上向き面に接触するエスカレーター。
【請求項２】
前記支持板は、前記踏段のライザー最下部に取り付けられている、
請求項１のエスカレーター。
【請求項３】
前記可動板の上面には、前記踏板のクリートに対応する櫛歯状の溝が設けられている、
請求項１または２のエスカレーター。
【請求項４】
前記踏板と前記可動板との突き合わせ部において、前記踏板の突き合わせ部に設けられた突条の幅と、前記可動板の突き合わせ部に設けられた突条の幅とは、前記踏板の突き合わせ部以外の主要部に設けられた突条の幅の半分である、
請求項３のエスカレーター。
【発明の詳細な説明】
【技術分野】
【０００１】
本発明は、エスカレーターに関するものである。
【背景技術】
【０００２】
特許文献１には、走行前側に隣接する踏段クリートの前端部を先高に傾斜させて形成したことを特徴としたエスカレーターの踏段が開示されている。
また、特許文献２には、走行前側のステップのライザー部に突出部を設けておき、中間傾斜部に差し掛かった時に走行前側のライザー部に、突出部が突き出すように構成されたエスカレーターの踏段装置が開示されている。
【先行技術文献】
【特許文献】
【０００３】
【特許文献１】実開平２−６４５７５号公報
【特許文献２】特開平５−１５５５７３号公報
【発明の概要】
【発明が解決しようとする課題】
【０００４】
まず、特許文献１では、踏段ステップ部先端のクリート部分を先高に傾斜して形成していることにより、乗客のつま先がその部分に接していることで違和感を覚え、ステップ中央に、乗客の足を移動することを期待したものであるが、クリート部分を先高に傾斜して形成する高さにおいては、高くすればするほど、違和感を覚えるが、傾斜角度を大きくし過ぎたり、高さを高くし過ぎたりしたときには、前後に並ぶ踏段が水平状態のときには逆に、乗客のつまづきの原因等になることを考慮する必要がある。よって、最終的には先高の傾斜は控えなければならず、また、つま先が持ち上がっている履物や、乗客の感じ方に個体差がある場合には効果が無い。
【０００５】
一方、特許文献２においては、水平部から中間傾斜部に差し掛かるときには乗客のつま先が走行前側のステップのライザー部の突出部に乗ることで、走行前側のステップのライザー部に挟み込まれるのを防止できる。しかし突出部の形状は踏段の中間傾斜部と水平部の駆動姿勢に合わせた形状（Ｒ形状）となり、実際に実施しようとした場合、突出部と走行後ろ側の踏段ステップ部の間に隙間が発生しないように何らかの対策が必要となってしまう。
【０００６】
本発明は、上記に鑑みてなされたものであり、乗客のつま先がクリートとライザーとの間に挟み込まれにくくすることができる、エスカレーターを提供することを目的とする。
【課題を解決するための手段】
【０００７】
上述した目的を達成するため、本発明は、多数の踏段が連なって階段状に移動するとともに乗降口付近では前記踏段の踏板が平面状になるエスカレーターにおいて、前記踏段の踏板の走行方向前部に設けられた凹み部と、前記凹み部に回転可能に取り付けられる可動板と、前記踏段の走行方向後部に設けられ、エスカレーターの中間傾斜部にて前記可動板を持ち上げる支持板とを備える。
【発明の効果】
【０００８】
本発明によれば、乗客のつま先がクリートとライザーとの間に挟み込まれにくくすることができる。
【図面の簡単な説明】
【０００９】
【図１】本発明のエスカレーターの概略を示す図である。
【図２】本発明の実施の形態１の踏段の縦断面図である。
【図３】踏段の凹み部と可動板との拡大詳細図である。
【図４】可動板の拡大詳細図である。
【図５】可動板の動作範囲を示す図である。
【図６】可動板の持ちあげの流れを示す図である。
【図７】可動板の持ちあげの流れを示す図である。
【図８】可動板の持ちあげの流れを示す図である。
【図９】可動板の回転軸受部の拡大図である。
【図１０】可動板のヒンジの回転支持部の詳細図である。
【図１１】踏板と可動板との突き合わせ部を示す図である。
【図１２】踏板と可動体との突き合わせ部の重ね合わせ態様が左右対称であることを示す図である。
【図１３】踏板と可動板との突き合わせ部の重ね合わせ態様が左右同一形状（一様）であることを示す図である。
【図１４】図１３のＡ−Ａ線に沿って示された図である。
【図１５】踏段の斜視図である。
【図１６】可動板と踏段との固定方式を説明する図である。
【図１７】可動板と踏段とを固定するねじの平面図である。
【図１８】可動板と踏段とを固定するねじの側面図である。
【図１９】本発明の実施の形態２に関する軸受部の構成を示す図である。
【図２０】本発明の実施の形態２に関する軸受部の構成を示す図である。
【図２１】本発明の実施の形態２に関する軸受部の構成を示す図である。
【図２２】本発明の実施の形態２に関する軸受部の構成を示す図である。
【図２３】本発明の実施の形態２に関する軸受部の構成を示す図である。
【図２４】本発明の実施の形態２に関する軸受部の構成を示す図である。
【図２５】本発明の実施の形態２に関する軸受部の構成を示す図である。
【図２６】本発明の実施の形態３に関する可動板の回転制限（回転角度位置決め）態様を説明する図である。
【図２７】本発明の実施の形態３に関する可動板の回転制限（回転角度位置決め）態様を説明する図である。
【図２８】本発明の実施の形態３に関する可動板の回転制限（回転角度位置決め）態様を説明する図である。
【図２９】本発明の実施の形態３に関する可動板の回転制限（回転角度位置決め）態様を説明する図である。
【図３０】本発明の実施の形態４に関する回転支持方式を説明する図である。
【発明を実施するための形態】
【００１０】
以下、本発明の実施の形態について添付図面に基づいて説明する。なお、図中、同一符号は同一又は対応部分を示すものとする。
【００１１】
実施の形態１．
図１に示されるように、エスカレーター１０は、金属製のトラス１２と、トラス１２の上に設けられている手摺部１４と、トラス内部には多数の踏段３１とを備え、踏段３１の幅方向両端部には無端状のチェーン１８が取り付けられている。エスカレーター上部にはチェーン１８を駆動するためのスプロケット１６が配置され、駆動モーターによりスプロケット１６が回転し、チェーンはこのスプロケット１６が回転駆動されることによって、上下に送られ各踏段３１は中間傾斜部では階段状をなしながら上り移動、下り移動を繰り返し行い、乗客を下の階から上の階、上の階から下の階へと搬送している。各踏段３１は上階および下階の乗降口へ近づくにつれて中間の傾斜部での階段状の形状から前後の踏段３１が同じ高さとなる平面状へと移行して段差が解消されるようになっている。
【００１２】
図２に示されるように、踏段３１は、乗客が立って乗る踏板３３と、踏板３３の左端（図中）から下部に連結されるライザー２１とを有しており、ライザー２１は一般に、緩やかに湾曲した曲面状に形成されている。これは、乗降口の前後の踏段３１が平面状態から、中間の傾斜部における階段状に移行していく際に後ろ側の踏段３１の先端の可動軌跡が湾曲した軌跡となることから、ライザー２１はそれに合わせた湾曲形状となっている。
【００１３】
踏板３３とライザー２１はその内側にある金属性のフレーム３５にて固定されている。そしてフレーム３５にはガイドレール（図示なし）に支持され踏段３１をスムースに移動させるためのガイドローラー２２が回転可能に支持されている。このガイドローラー２２がガイドレール（図示なし）に沿って駆動用のチェーン１８にて上下に送られることでエスカレーターの踏段３１はその乗り場、降り場では隣り合った踏段３１は平面状に、中間の傾斜部では階段状となり周回移動することになる。
【００１４】
踏板３３の奥行き方向に関する、ライザー２１の反対側（上り移動時の走行方向前部）には凹み部３２が形成されている。主に、図２〜図４を参照して説明すると、凹み部３２は、走行する前側の踏段３１のライザー２１までいくらかの隙間を与えた状態まで延びており、踏板３３の上面から可動板２３の厚みと同等の凹みを有し、凹み部３２の底面は、踏板３３の表面と平行な状態で形成されている。
【００１５】
また、踏板３３と凹み部３２の段差の繋がりは、ある一定の段差をもたせた形状となって繋がれている。凹み部３２の上には一端が回転自在となるための軸受部２５を複数個所設けた可動板２３が凹み部３２の上に乗せられる形で取り付けられ、可動板２３の軸受部２５とピン、またはネジ等の軸受可能部品にて固定された状態で凹み部３２の上に踏板３３の上面と同一平面となるように設置される。
【００１６】
図５〜図９を参照して説明する。走行する前側の踏段３１のライザー２１の最下段換言すれば各踏段３１の上り移動時の走行方向後部には、可動板２３を傾斜させ位置決めするための複数の支持板２４が設けられている。可動板２３が階段状となる中間傾斜部では、この支持板２４にて可動板２３が持ちあげられ、可動板２３はある一定の傾斜角度まで持ち上がり、支持板２４に支持されて停止する。この持ち上げる角度については支持板２４の高さを変更することで、可動板２３の傾斜角度を変更することができる。
【００１７】
可動板２３を持ち上げるとき、可動板２３の位置を支持する支持板２４の停止位置よりも可動板２３が持ちあがることを防止する対策として、可動板２３の回転支持部側の端部２３ａを踏板３３の上向き面３３ａに接触させることで支持板２４の停止位置よりも持ちあがることを防止できる。このため前後に並ぶ踏段３１が水平部から中間傾斜部に移行した際、前後に並ぶ踏段３１の進行方向前側の踏段３１のライザー２１の最下段に設けられた複数の支持板２４にて持ちあげられた可動板２３は所定の角度まで回転支持部を起点として回転移動したあと、チェーン１８による上り移動、下り移動時の振動等で、支持板２４の支持位置よりも持ちあがろうとしても可動板２３の回転支持部側の端部２３ａを踏板３３の上向き面３３ａに接触させることでそれ以上持ちあがることは出来ない。支持板２４の高さを変更し、可動板の傾斜角度を変更する場合は、可動板２３の回転支持部側の端部２３ａを踏板３３の上向き面３３ａに接触させる傾斜角度を変更すれば可能となる。
【００１８】
可動板２３は上階および下階の乗降口へ近づくにつれ、前後の踏段３１が平面状となり、これに伴い、前側の踏段３１のライザー２１最下段に設けられた支持板２４が後ろ側の踏段３１の可動板２３から離れていくことで、支持板２４による支持が無くなるため、踏板３３と同じ高さ、同じ平面状態となり、踏板３３と同一高さ、平面となった状態で収納される。これは、可動板２３に一定以上の重量を持たせておくことで、その重量によって自然と回転支持部を起点として回転軸の反対側端部が、凹み部３２の上面まで降下し停止するものである。
【００１９】
可動板２３を回転自在とするために踏段３１の踏板３３と凹み部３２の突き合わせ部直下に回転を支持する軸受部２５を形成している。可動板２３の踏板側の端面で凹み部３２の可動板２３の乗せられる平面よりも少し距離をおいた位置に軸受部２５を形成している。この軸受部２５の位置を平面よりも少し距離（図９中に参照符号ａで示す）をおくことと、踏板３３と凹み部３２に一定の段差をもたせることで、チェーン１８による上り移動時に前側の踏段３１のライザー２１の最下段に設けられた複数の支持板２４によって可動板２３が持ち上げられ支持される過程において、可動板２３の回転軌道をその背後にある踏板３３の傾斜部に接触しない回転軌道とすることができる。この踏段３１には踏板３３の踏面直下に設けられた回転支持部２６に可動板２３の軸受部２５を通すための穴を形成し、この通し穴に可動板２３の軸受部２５を通し、踏段３１の回転支持部２６と回転自在にピン、またはネジ等の軸受可能部品にて固定することで可動板２３は自在に回転することができる。
【００２０】
可動板２３の材質は、一般的なエスカレーターのクリートと同じような樹脂製のものが好ましく、また、その色も注意喚起色、例えば黄色の樹脂または着色を施した樹脂とすることで乗客に注意喚起を効果的に示すことが可能となり、その結果、この部分に立たない、乗らないように促すことも可能となる。また、注意喚起色とした可動板２３が可動することで、より乗客へのアピールが増し、さらなる注意喚起となる。
【００２１】
図１０において、この可動板２３は、従来のクリート面と同じように、その上面は櫛歯状の凹凸の形状で形成されており、踏板３３上面の櫛歯の凹凸と凹凸面の位置を合わせた構成となっている。踏板３３の表面には、クリートと呼ばれる多数の溝４４ａが幅方向に並んで且つ奥行き方向に繋がった形で形成されている。そのため、各クリートの間は突条４４ｂとなっており、同じように奥行き方向に繋がった形で形成されている。この櫛歯状の凹凸は、その上に立つ乗客が滑らないでエスカレーターに乗り降りできるようにするためのものである。
【００２２】
図１１には、踏板３３と可動板２３との突き合わせ面が示されている。可動板２３においては、その上面に踏板３３の上面に形成されたクリートに対応する櫛歯状の溝４５ａ、突条４５ｂを形成しているが、可動板２３の溝４５ａは踏板３３の溝４４ａと幅を同じとし、可動板２３の溝４５ａと踏板３３の溝４４ａが幅方向において位置を合わせた形で取り付くよう、つまり同一幅となるように配置させる。このため、突き合わせ部における踏板３３に設けている突条４４ｂと、可動板２３に設けた同じ幅の突条４５ｂは、その厚み方向の幅を半分（突き合わせ部以外の主要な突条の幅の半分）に、つまり１／２ずつ振り分け、重ね合わせることで可動板２３が支持板２４に支持されていない平面状態において、踏板３３の突条４４ｂ，可動板２３の突条４５ｂの奥行き方向における隙間は発生せず、またその幅が、踏板３３の通常の突条４４ｂの幅と同じとすることができる。また、これにより上階、下階の乗降口において踏段３１のクリート形状に合わせて取り付けられている、櫛歯を踏段３１が通過していく際にも櫛歯に接触することなく通過することができる。また、踏板３３と可動板２３の突条部を重ね奥行き方向に隙間、凹みをなくすことで乗客の足がその隙間に、引っかかる、沈むことがなく、違和感も発生しないため、安心して乗ることができるのと、可動板２３が可動する際にも、踏板の突条４４ｂと可動板２３の突き合わせ部の奥行き方向に隙間、凹みが無いため、可動板２３が中間傾斜部にて走行する前側の踏段３１のライザー２１の支持板２４に支持され持ち上げられるときも、可動板２３と踏板３３の間で乗客の衣服や、靴ひも等の挟まれを防止することができる。また、幅方向にも重ね合わせていることで隙間が無く、踏板３３と可動板２３の突き合わせ面への異物の挟み込みも抑制できる。
【００２３】
図１２に示されるように、踏板３３の突条４４ｂと可動板２３に形成する突条４５ｂの重なり合った部分は、その重なり方向を、踏段幅方向の中心Ｃに対して左右で対称とすることで、可動板２３の幅方向の位置決めが可能となり、使用時の横ずれを抑制することができる。これにより、踏段３１と可動板２３を組み立てる際にも位置決め調整の必要が無く組立も簡易となる。
【００２４】
また、図１３および図１４に示されるように、踏板３３の突条４４ｂと可動板２３に形成する突条４５ｂとの重なり方向をすべて同じ方向としても、横ずれ、横位置合わせは踏板直下に形成した可動板の軸受部２５と踏段の回転支持部２６の隙間の調整にて位置を合わせる。その際にはシム２７を軸受部２５と回転支持部２６の間の隙間に挿入して位置調整を行う。なお、踏板３３の突条４４ｂと可動板２３に形成する突条４５ｂとの重なり合った部分を踏段幅方向の中心に対して左右で対称とした場合も、可動板の軸受部２５と踏段の回転支持部２６との隙間へのシム調整は、有益であり、あるいは適宜、必要である。
【００２５】
図１５に示されるように、可動板２３が取り付けられる凹み部３２の上面には、先ほども述べたように可動板２３の軸受部２５を踏板３３直下の回転支持部２６に通すための通し穴４６が設けられている。また、階段状となる中間傾斜部で後ろを走行する踏段３１の可動板２３を持ち上げるための踏段３１のライザー２１の最下段に設けられた支持板２４が凹み部３２を通過するためのスリット４８も踏段３１の凹み部３２先端に設けている。
【００２６】
図１６に示されるように、可動板２３と踏段３１とは回転自在に固定される。可動板２３の軸受部２５には、きり穴を施し、踏段３１の軸受部にはネジ加工を施す。上記可動板２３の軸受部２５を踏板３３直下の回転支持部２６に通すための通し穴に可動板２３の軸受部２５を挿入し、軸受部２５先端に設けた穴を踏段３１に設けた回転支持部２６のネジ穴に位置を合わせ、ねじ２８にて固定する。固定するネジは一般的なネジではなく図１７に示すようなネジ部２８ａと軸受部２８ｂを持った段付きねじ２８を使用することでネジだけで、ネジ固定後も軸受部２５の厚みとネジ軸受部の長さの差分により隙間を与えることができ可動板２３は回転自在に可動することが可能となる。可動板２３の軸受部２５に施す通し穴、踏段３１の回転支持部２６に施すネジ加工は逆の加工、つまり可動板２３の軸受部２５にネジ穴加工、踏段３１の回転支持部２６に、きり穴を施すことでも同じ効果は得られる。
【００２７】
上述したエスカレーターによれば、下段でエスカレーターの踏段に乗った乗客のつま先が走行前側の隣接するステップのライザー面のクリート部に接する位置にあっても、踏段が中間傾斜部から乗客が降りる水平部に移る過程で、乗客のつま先がクリートとライザーの間に挟み込まれにくくすることができる。
【００２８】
実施の形態２．
次に、本発明の実施の形態２について説明する。なお、本実施の形態２は、以下に説明する部分を除いては、上述した実施の形態１と同様であるものとする。
【００２９】
実施の形態１では、可動板２３の軸受部２５は、樹脂製としている。常に上り移動、下り移動を繰り返すエスカレーターの運転では可動板２３の軸受部２５は常に開閉を繰り返すこととなる。このため、金属性（アルミ等）の踏段３１と樹脂製のヒンジ部では、樹脂製のヒンジ部が耐摩耗性や耐久性が劣ることが考えられる。
【００３０】
図１９に示す第１例としての可動板１２３は、可動板の本体は従来通りの樹脂製品とし、軸受部２５、つまり本体（板状の部分）から踏段３１に延びる部分を金属製とすることで軸受部２５の耐摩耗性や耐久性を向上させ、寿命を延ばすことができる。この第１例では、金属の軸受部２５と樹脂の本体とが一体型に構成されている。すなわち、樹脂製の可動板１２３を成型品として樹脂成型する際に、同時に金属性の軸受部２５を成型し、樹脂製の可動板１２３と一体化とする。
【００３１】
また、図２０〜図２４には、第２例を示す。樹脂一体型の第１例に対して分離型の第２例では、樹脂製の可動板１２３に金属製の軸受部２５が結合される。図２０および図２１には、複数のネジにより固定方式が示される。樹脂製の可動板１２３裏面に軸受部取付部４２を形成し、軸受部２５をネジにて固定する。
【００３２】
他の分離型の態様としては、図２２および図２３に示されるように、固定位置は、可動板１２３の軸受部取付部４２に突起を形成し、軸受部側には突起に合わせた位置合わせ用の穴を形成することで位置決めができる。回転支持部取付方式として図２２および図２３に記載している態様では、突起の個数を２個以上とするか、突起１か所と側面にガイドを設けることで、回り止めと位置決めができ、ネジ固定本数を１本として固定することができる。
【００３３】
さらに他の分離型の態様としては、図２４および図２５に示されるように、スリット方式がある。図２４では、樹脂製の可動板１２３に、金属板（回転支持部）３４からなる金属製の軸受部２５をセットするスリットを形成し、スリット幅と同形状の金属製の軸受部２５を形成する。スリットに軸受部２５を挿入することで傾きを規制し、スリットにて回転防止をおこなうことで、１本のねじにて位置決め、固定する。図２５では、ネジを使用しない位置固定方式として、樹脂製の可動板１２３と金属製の軸受部２５を固定するとき、樹脂製の可動板１２３にスリットと位置決め用のフック状の突起３７を設け、金属製の軸受部２５に凹み部を設けることで、可動板１２３の樹脂製スリットに金属製の軸受部２５を差し込むだけでフック状の突起３７により金属製の軸受部２５がロックされ位置固定と外れ防止となる。
【００３４】
実施の形態３．
次に、本発明の実施の形態３について説明する。なお、本実施の形態３は、以下に説明する部分を除いては、上述した実施の形態１と同様であるものとする。
【００３５】
実施の形態１では、可動板２３を持ち上げたとき、それ以上に回転させないための防止策として、可動板２３の回転軸側の端部を踏板３３に接触させることとしていた。これに代わる方式として、本実施の形態３では第１の例として図２６および図２７に示すように可動板２３の裏面に先端が矢印のような形をしたストッパ３８を可動板の樹脂成型時に一体成形にて成形する。これを踏段３１に可動板２３を取り付ける際に矢印状のストッパをそれに対応した穴に差し込む。差し込まれたストッパは穴を通り抜けた後は、引く方向に対して先端の矢印状のひれが穴の裏面に引っかかることで可動板２３の立ち上がる角度を規制することができるため、このストッパと進行方向前側の踏段３１のライザー２１の最下段に設けられ、可動板２３を傾斜させ位置決めする支持板２４の立ち上がり高さを合わせることで、必要な高さでの位置決めができ、それ以上の角度に広がることを防止できる。可動板２３に一体成形にて取り付ける矢印状のストッパの先端形状は片矢印（レ型）でも効果は同じであり、ストッパの形状は可動板２３のヒンジによる回転半径のＲ形状と同じ形状が理想形状であり、動きもスムースである。
【００３６】
第２の例としては、図２８および図２９に示されるように、別部品として、バネやゴムといった伸縮可能な部品４０を可動板２３の裏面と踏板３３の可動板２３取付面に両端を固定してもよい。図２８は、バネを用いた態様を示し、図２９は、ゴムを用いた態様を示す。これによって、中間傾斜部において前側の踏段３１のライザー２１の最下段に設けられた支持板２４にて持ち上げられた可動板２３は、乗降口へ近づき、隣り合う踏段３１が平面状に近づくと支持板２４が可動板２３から離れていくとき、可動板２３に取り付けられたバネ、ゴムの力によって踏板３３と平行な位置に戻ることができる。
【００３７】
実施の形態４．
次に、本発明の実施の形態４について説明する。なお、本実施の形態４は、以下に説明する部分を除いては、上述した実施の形態１と同様であるものとする。
【００３８】
実施の形態１では、可動板２３に軸受部２５を設けて、可動板２３の回転起点としていたが、本実施の形態４では、実施の形態１の軸支構造に代えて、バネ性能を有した樹脂、ゴムまたは、金属板等のバネ部材４１によって、踏板３３と可動板２３を繋ぐことで、軸受部２５と同じような効果を得ることができる。この場合、中間傾斜部において前側の踏段３１のライザー２１の最下段に設けられた支持板２４にて持ち上げられた可動板２３が、乗降口へ近づき、隣り合う踏段３１が平面状に近づくと支持板２４が可動板２３から離れていくが、バネ性能を有したゴムまたは、金属板のもとの位置に戻ろうとする力が働くため、支持板２４が離れることで、バネ性能を有したゴムまたは、金属板の力で元に位置に戻ることができる。
【００３９】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００４０】
１０  エスカレーター、２１  ライザー、２３  可動板、２４  支持板、３１  踏段、３３  踏板。
【図１】
0006710112.tif 000002
【図２】
0006710112.tif 000003
【図３】
0006710112.tif 000004
【図４】
0006710112.tif 000005
【図５】
0006710112.tif 000006
【図６】
0006710112.tif 000007
【図７】
0006710112.tif 000008
【図８】
0006710112.tif 000009
【図９】
0006710112.tif 000010
【図１０】
0006710112.tif 000011
【図１１】
0006710112.tif 000012
【図１２】
0006710112.tif 000013
【図１３】
0006710112.tif 000014
【図１４】
0006710112.tif 000015
【図１５】
0006710112.tif 000016
【図１６】
0006710112.tif 000017
【図１７】
0006710112.tif 000018
【図１８】
0006710112.tif 000019
【図１９】
0006710112.tif 000020
【図２０】
0006710112.tif 000021
【図２１】
0006710112.tif 000022
【図２２】
0006710112.tif 000023
【図２３】
0006710112.tif 000024
【図２４】
0006710112.tif 000025
【図２５】
0006710112.tif 000026
【図２６】
0006710112.tif 000027
【図２７】
0006710112.tif 000028
【図２８】
0006710112.tif 000029
【図２９】
0006710112.tif 000030
【図３０】
0006710112.tif 000031